(57)【要約】      （修正有）【課題】歯列を跨ぐようにあてがい、弱い力で抑え、歯列に沿って細かく動かすだけで歯列の三面が同時に磨ける歯ブラシを提供する。【解決手段】現在製造可能な金型製造技術と機械植毛技術の限界を超えて、従来業界で不可能視されていたブリッスルの傾斜角度１０°乃至１５°で植毛面が一つの植毛基台を、植毛面を凹局面とすることとブリッスルの長さを適合させることにより、植毛叢の中に歯列を挟む空隙列を設け、誰でも容易に短時間で磨き残しなく磨ける歯ブラシを実現する。【選択図】図５
0003165491.tif 000002
【実用新案登録請求の範囲】
【請求項１】
手磨きの歯ブラシ及び往復運動をする電動歯ブラシのうち、植毛叢が多数の植毛束の行と列により構成される歯ブラシにおいて、所望する外側植毛束の中心線の内側への傾斜角度、両外側植毛束の先端の間隔、外側植毛束の露出部の長さで定まる梯形の底辺の両端を外側植毛孔の中心位置と定め、両外側植毛束中心線の交点を中心とし、外側植毛孔の中心までを半径とする円弧の内面を穿孔しないままの両外側植毛面とし、中央植毛面は両外側植毛面と同一円弧、又は両外側植毛孔周縁の至近を結ぶ平面とし、中央植毛孔を穿孔する金型により頸部、把持部と共に一体に形成し、傾斜角度が大きく、形成し得ない両外側植毛孔はＣＮＣボール盤等による後加工により、当初計画の位置、角度で穿孔し、中央植毛孔に短く、外側職毛孔に長く植毛する歯列を挟んで磨く歯ブラシ。
【考案の詳細な説明】
【技術分野】
【０００１】  本考案は、日常大多数の人が使用する歯ブラシのうち、歯列の噛み合わせ面と唇（表）側、舌（裏）の三面を同時に磨くことが出来る歯ブラシ（以下全歯周歯ブラシを云う）に関する。
【背景技術】
【０００２】  全歯周歯ブラシは大別して普通の歯ブラシの中央列植毛束を短く、外側列植毛束を平坦な植毛面に垂直に植毛したものと、植毛基台を２分割又は３分割し、各植毛面を一平面状に配列した状態で、全植毛孔を歯ブラシ躯体の成型金型のパーテングラインに垂直に設けた植毛孔を有するヘッド部、これに続くネック部、把持部を含む躯体を硬質熱可塑性プラスチックの射出成型法で形成し、植毛後に分割した植毛基台を所望の角度に係合し、部品により結合又は溶着の為に二次成型したものがある。他にも多数の出願はあるが、大多数はアイデアのみで実施不可能なものが多い。【０００３】
【特許文献１】特開  ２００１−３４６６３３
【特許文献２】特公昭  ６３−５０３２７６
【特許文献２】特許  ４１４３９８２
【考案の開示】
【解決しようとする課題】
【０００４】  上記特許文献はいずれも植毛後に分割した植毛基台を組み立てなければならず、製造コストも掛かり、植毛後に組み立てるので衛生面の管理が困難である。
【０００５】  普通の歯ブラシの製造において、有傾孔の穿孔は４°までは無理抜きによって可能であるが、それ以上の角度は金型の製作も機械植毛も不可能とされていて、工作機械による後加工で傾斜させて穿孔にも植毛面に対して４°以上傾いた植毛孔には植毛し得ない。本考案で要望される外側行の外側への傾斜角度は、植毛面の巾が１２粍位の場合１０°位、欧米諸国で主流である植毛面の巾が１５粍位の場合１５°位が最適であり、この角度で後加工により穿孔し、植毛し得なければならない。
【考案を解決する為の手段】
【０００６】  植毛基台両外側列の植毛孔を外側に向けて１０°乃至１５°位傾けて穿孔するには、工作機械により後加工することによって可能であるが、更に植毛が可能な植毛孔の植毛面とのなす角度は４°以下でなければならないので、本発明では植毛面を凹曲面とすることによって達成する、述上のような論理により得られる歯ブラシ躯体に中央列植毛孔に短く植毛し、外側列植毛孔に公知の一定長さの一端極細フィラメントを先細側を高く、切断側を低く植毛すれば、所望の歯列を挟んで磨く歯ブラシが得られる。
【考案の効果】
【０００７】  本考案歯ブラシの使用法は極めて簡明で、歯列を跨ぐようにあてがい、弱い力で抑え、歯列に沿って細かく動かすだけで歯列の三面が同時に磨け、外側列植毛束が内側に傾いているので、ローリングしても外れにくく短時間で磨き残しなく磨け、歯周ポケットの食べかすの除掃や歯肉のマッサージも効果的に出来るので、口臭の防除、虫歯や歯周病の予防に効果がある。
【図面の簡単な説明】
【０００８】
【図１】本考案実施形態を示す射出成型で得られる歯ブラシ植毛基台の平面図
【図２】外側列植毛孔を後加工により穿孔した植毛基台の平面図
【図３】［図１］のＡ−Ａ´断面図
【図４】［図２］のＢ−Ｂ´断面図
【図５】考案を実施する為の最良の形態の説明図
【記号の説明】
【０００９】      α    外側植毛束先端の間隔
β    植毛基台の巾
Ｌ    外側植毛束の露出部の長さ
Ｐ    外側植毛孔の中心
Ｒ    外側植毛束の先端の中心
Ｏ    両外側植毛束の中心線の延長交点
θ    外側植毛束と植毛面中心垂直線とのなす角
θ´  θから植毛孔と植毛面が傾斜していても植毛可能な角度を引いた線と、植毛面中心の垂直線とのなす角
【考案を実施する最良の形態】
【００１０】  本考案は、従来から使用されている歯ブラシと殆ど同じサイズ形で、中央列植毛束を短く、外側列植毛束を植毛基台の巾のサイズによって、１０°乃至１５°位内側に傾斜させて長く植毛し、植毛叢の内に歯列を挟む空隙列を設けることを目的とする。以下その製法と最適な形態を示す。
【００１１】  通常の歯ブラシの植毛基台の巾は、我が国においては最大１２粍位であるが、欧米においては１２粍乃至１５粍位が最も普及しているので、これら共通の基台巾について製造法を例示する。
【００１２】  望ましい植毛基台の巾β、両外側植毛束の先端の間隔α、外側植毛束の露出部の長さＬを想定し、植毛孔の径、植毛孔から植毛基台の縁までの寸法を勘案して作図すると図５のようになり、外側列植毛孔の植毛面中心とのなす角はθとなり、図上計測すると約１０°となるので、通常の方法では金型による穿孔も植毛も不可能である。
【００１３】  本考案において、図中Ｐ・Ｒ点を結ぶ延長線と植毛面中心の垂直線との交点Ｏを中心として、点Ｐを過ぎる円弧を外側植毛列の植毛面とすれば、植毛孔は植毛面に垂直となり、植毛は可能となる。
【００１４】  植毛面に対し、植毛孔の傾が４°迄なら傾いていても植毛可能であることから、Ｐ点を過ぎり４°の範囲内で植毛面中心の垂直線との交点Ｏ´を中心とする円弧状凹面を植毛面とすれば植毛面の曲率は図のように緩くなる。
【００１５】  又、円弧状の植毛面のうち、中央植毛列の植毛面を図上の水平線とし、該部位に歯ブラシ躯体成形時に中央植毛孔が植毛面に垂直に設けられる金型により、機械切削してもバリの出来ないＡＢＳのような硬質熱可塑性プラスチックを用いて射出成型法によって歯ブラシ躯体と共に形成する。
【００１６】  射出成型によって形成し得ない両外側列植毛孔はＣＮＣボール盤等で後加工で穿孔する。
【００１７】  中央列植毛孔に短く、両外側列植毛孔に長く植毛すれば、植毛叢の内に空隙列が設けられ、歯列を挟んで磨く歯ブラシが得られる。
【産業上の利用可能性】
【００１８】  述上の方法によって得られる歯列を挟んで磨く歯ブラシは、ＣＮＣボール盤等による後加工を要するが、両外側列全植毛孔の穿孔に要するタイムは１０秒程度で、特許文献１、２，３に記述された方法に比べ、作業性は良く、量産可能で、植毛後に歯ブラシ躯体の組み立て作業等は無いので、衛生面の管理も容易で効用に比して安価に供給し得る。
【図１】
0003165491.tif 000003
【図２】
0003165491.tif 000004
【図３】
0003165491.tif 000005
【図４】
0003165491.tif 000006
【図５】
0003165491.tif 000007
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
熱可塑性プラスチックを射出成型法により形成する植毛叢を多数の植毛束の行と列で構成する手磨きの歯ブラシ、及び往復運動をする電動歯ブラシの躯体のヘッドにおいて、ヘッド部全容の水平面に対し垂直な中央列植毛孔は射出成型時に形成し、射出成型時に形成不能な水平面に有傾な外側列植毛孔は、コンピューターにより数値制禦する工作機械により穿孔し、中央列植毛孔に短く、外側列植毛孔に長く植毛する歯列を挟んで磨く歯ブラシ。